(57)【要約】  ロケーションサーバ（１２０）は、警告領域（２２０）内にいる加入者を特定するための要求を受信し、通知／警告が警告アプリケーション（２１０）から加入者に送出されるようにする。ロケーションサーバは、警告領域に位置する加入者を見つけるためにデータベース（１３０）の探索を実行することにより場所データを抽出する。データベース中の場所データの品質は、移動局（ＭＳ）がネットワーク（１００）と通信している時にネットワークイベントにおいてコアネットワーク（１４０）が受動場所データをロケーションサーバに送出する頻度に依存する。ロケーションサーバは、コアネットワーク及び無線アクセスネットワーク（１５０）を再設定し、必要に応じて情報を送出する。本発明の利点は、モバイルネットワークに過度に負荷をかけずに柔軟性のある方法で特定の領域に現在位置している加入者を認識することが必要となるサービスを提供できることである。
2010514344.tif 000002
【特許請求の範囲】
【請求項１】
ロケーションサーバ（１２０）において実行され、移動局の加入者への警告通知を行う方法であって、
警告領域内にいる加入者を特定するための要求（４０１、５０１、６０１、７０１）を警告アプリケーション（２１０）から受信するステップと、
前記加入者についての場所データを少なくとも１つのネットワークノード（ＣＮ１４０、ＲＡＮ１５０）から受信するステップ（４０４ａ、４０７ａ、５０７ａ、６９０）と、
前記加入者についての場所データをチェックし、前記警告アプリケーションに対して前記警告領域（２２０）内にいる加入者に関する情報を通知するステップ（４０４ｃ、５０４ｃ、５０７ｃ、６０３）と、
前記警告領域内にいる加入者を特定するための要求を受信する前記ステップの後、該要求（４０３、４０６、５０３、５０６、６０６、７０６）を少なくとも１つのネットワークノード（１４０、１５０）に送出することにより、前記ネットワークノード（１４０、１５０）では前記加入者についての場所データの設定を変更するステップと
を備えることを特徴とする方法。
【請求項２】
前記要求（４０３）を送出する前記ステップの前に、前記警告領域に属するセルを判定し、前記セルを提供するネットワークノードに対してのみ前記要求を送出するステップを更に備えることを特徴とする請求項１に記載の方法。
【請求項３】
前記ネットワークノードの前記設定を変更するための前記要求は、場所データの伝送の開始要求を含むことを特徴とする請求項１又は２に記載の方法。
【請求項４】
少なくとも１つのネットワークノード（１４０、１５０）から移動局についての場所データを受信する前記ステップは、ロケーションデータベース（１３０）に前記移動局についての場所データを格納するステップ（４０４ｂ）を更に備えることを特徴とする請求項１乃至３のいずれか１項に記載の方法。
【請求項５】
前記変更された設定は、周期的な場所データの更新パラメータを含むことを特徴とする請求項１乃至４のいずれか１項に記載の方法。
【請求項６】
前記周期的な場所データの更新パラメータは、少ない頻度から多い頻度となるように変更される（４０６）ことを特徴とする請求項５に記載の方法。
【請求項７】
前記設定を再設定する（４０８、４０９）ステップを備えることを特徴とする請求項５又は６に記載の方法。
【請求項８】
前記再設定するステップは、移動局の位置が十分に特定された場合に場所データの伝送を停止させる停止要求（４０９）を前記ネットワークノード（１４０、１５０）に送出するステップを備えることを特徴とする請求項７に記載の方法。
【請求項９】
前記警告アプリケーションに通知する前記ステップ（４０４ｃ）は、前記警告領域内に位置する移動局に関する更に正確な情報が提供される時期を通知するステップを更に備えることを特徴とする請求項１乃至８のいずれか１項に記載の方法。
【請求項１０】
前記場所データは受動場所データであることを特徴とする請求項１乃至９のいずれか１項に記載の方法。
【請求項１１】
前記場所データは、ＳＭＳの送出、通話、場所領域更新又は周期的な場所データの更新のうちの任意のイベントによりネットワーク要素（１４０、１５０）において生成される場所データであることを特徴とする請求項１乃至１０のいずれか１項に記載の方法。
【請求項１２】
プロセッサ（３６０）及びメモリ（３７０）を有する移動局の加入者への警告通知を行う装置であって、前記メモリが、前記メモリからアクセス可能であり且つ前記プロセッサにより処理可能である命令を有する装置であって、
警告領域内にいる加入者を特定するための要求（４０１、５０１、６０１、７０１）を警告アプリケーション（２１０）から受信するアプリケーションハンドラ（３１０）と、
前記加入者についての場所データ（４０４ａ、４０７ａ、５０７ａ、６９０）を少なくとも１つのネットワークノード（ＣＮ１４０、ＲＡＮ１５０）から受信するイベントハンドラ（３４０）と、
前記加入者についての場所データをチェックし、前記警告領域内にいる加入者に関する情報を前記警告アプリケーションに通知するメッセージメディエータ（３２０）と、
要求（４０３、４０６、５０３、５０６、６０６、７０６）を少なくとも１つのネットワークノード（１４０、１５０）に送出することにより、前記ネットワークノード（１４０、１５０）において前記加入者についての場所データの設定を変更するネットワークコンフィギュレータ（３３０、３５０）と
を備えることを特徴とする装置。
【請求項１３】
前記メッセージメディエータ（３２０）は、前記警告領域（５０２）に属するセルを判定し、前記セルを提供するネットワークノードに対してのみ前記要求を送出するように少なくとも１つのネットワークコンフィギュレータ（３３０、３５０）に指示することを特徴とする請求項１２に記載の装置。
【請求項１４】
前記ネットワークコンフィギュレータ（３３０）は、場所データ（５０３）の伝送を開始するように前記コアネットワーク（１４０）に指示することを特徴とする請求項１２又は１３に記載の装置。
【請求項１５】
前記移動局についての場所データ及び／又は提供された地理的領域の仕様を格納する（４０４ｂ）ロケーションデータベース（１３０）を備えることを特徴とする請求項１２乃至１４のいずれか１項に記載の装置。
【請求項１６】
前記ネットワークコンフィギュレータは、前記設定の周期的な場所データの更新パラメータを変更するように構成されていることを特徴とする請求項１２乃至１５のいずれか１項に記載の装置。
【請求項１７】
前記ネットワークコンフィギュレータは、前記周期的な場所データの更新パラメータ（４０６）を少ない頻度から多い頻度となるように変更することを特徴とする請求項１６に記載の装置。
【請求項１８】
前記ネットワークコンフィギュレータ（３３０、３５０）は、前記設定を再設定する（４０８、４０９）ように構成されていることを特徴とする請求項１６又は１７記載の装置。
【請求項１９】
前記ネットワークコンフィギュレータ（３３０、３５０）は、移動局の位置が十分に特定された場合に場所データの伝送を停止させる停止要求（４０９）を前記ネットワークノード（１４０、１５０）に送出することにより再設定を行うことを特徴とする請求項１８に記載の装置。
【請求項２０】
前記アプリケーションハンドラ（３１０）は、前記警告領域内に位置する移動局に関する更なる正確な情報が提供される時期を、前記警告アプリケーション（４０４ｃ）に通知することを特徴とする請求項１２乃至１９のいずれか１項に記載の装置。
【請求項２１】
前記場所データは、受動場所データであることを特徴とする請求項１２乃至２０のいずれか１項に記載の装置。
【請求項２２】
受動場所データは、ＳＭＳの送出、通話、場所領域更新又は周期的な場所データの更新のうちの任意のイベントによりネットワーク要素（１４０、１５０）において生成される場所データであることを特徴とする請求項１２乃至２１のいずれか１項に記載の装置。
【発明の詳細な説明】
【技術分野】
【０００１】
本発明は、加入者への通知に関し、特に、移動局の加入者への警告通知の方法及び装置に関する。
【背景技術】
【０００２】
個人に警告及び／又は通知する必要がある機会は種々存在する。所定の状況においては、特定の地理的領域にいる個人にのみ通知できることが好ましい。警告は、森林火災に対する警告、交通案内、広告等であってもよいが、ジオフェンシング（geo-fencing）及び地域的監視にも有用である。
【０００３】
移動通信システム及び移動端末は、そのような通知に使用されるシステムの一例である。
【０００４】
汎ヨーロッパデジタル移動通信システム（ＧＳＭ）規格において、ショートメッセージサービス（ＳＭＳ）セルブロードキャストと呼ばれるサービスが定義されている。このサービスによれば、情報提供者は、ある特定の地理的領域内のＧＳＭユーザにメッセージを同報通信することができる（GSM Technical Specification (TS) 03.02を参照）。ＳＭＳセルブロードキャストメッセージが同報通信される地理的領域は、メッセージ毎に規定され、１つ以上のセル又は公衆移動通信網（ＰＬＭＮ）全体を含めることができる。ＳＭＳセルブロードキャストメッセージは、情報提供者により指定された頻度及び期間で、規定された地理的領域の基地局トランシーバ（ＢＴＳ）により周期的に同報通信される。
【０００５】
セルブロードキャストは、特定の場所において重要な事項を、特定のモバイルオペレータのセルに接続された全ての加入者に、ショートメッセージサービスＳＭＳを介して通知するのに使用される。
【０００６】
セルブロードキャストの欠点は、正確度がセルの正確度に制限されることである。更に、同一の情報が全ての加入者に同報通信されることである。また、例えば一時的に有効範囲外にいるがゆえに、モバイルネットワークが特定の場所にいる加入者を認識できない場合にあっては、加入者が通知を得たか否かを追跡することができないという欠点もある。更にセルブロードキャストは、機能に関していくつかの制限を有している。
【０００７】
本出願人による国際公開第ＷＯ９８／０８３５０号では、サービング移動通信交換局（ＭＳＣ）の有効範囲領域内の特定の地理的領域内を移動する移動局に対して、メッセージを選択的に同報通信する方法及びシステムを開示している。メッセージは、指定された地理的領域内に位置すると判定された各移動局にショートメッセージサービス（ＳＭＳ）メッセージ等を使用して送信される。メッセージの送信先となる移動局は、訪問先ロケーションレジスタ（ＶＬＲ）をクエリすることにより判定される。
【０００８】
国際公開第ＷＯ９８／０８３５０号の欠点は、ＶＬＲのアクセス可能な情報の正確度、例えば品質（ａｇｅ）が不明確なことである。
【０００９】
国際公開第ＷＯ００／５４５２４号では、ユーザが情報を受信するためのモードにおいて移動局を設定することなく、基本情報の提供者がある特定の地理的領域にいるモバイル無線ネットワークユーザに基本情報を供給することが可能なサービスについて開示している。
【００１０】
サービスは、供給領域のＩＤを登録可能なモバイル無線ネットワークの基本情報メッセージレジスタに基本情報メッセージを登録する処理を含む。移動局から場所更新メッセージを受信すると、供給領域のＩＤと、場所更新メッセージに含まれる前記移動局の場所の情報とが比較される。比較結果に基づいて、基本情報メッセージを移動局に送出すべきか否かが判定され、基本情報メッセージを送出すべきと判定された場合には、基本情報メッセージが移動局に送出される。
【００１１】
国際公開第ＷＯ００／５４５２４号に係る発明の問題は、情報の送出のトリガーが移動局にあることである。従って、モバイルネットワークでは加入者の場所は場所更新情報により認識することとなるが、この方法の場合、複数の移動局が自身の場所を逐次更新する構成となっていないため、それら移動局に情報を緊急に配信することが必要な警告通知には適していない。
【発明の概要】
【発明が解決しようとする課題】
【００１２】
先行技術の場合、警告通知が特定の地理的領域内の複数の加入者に適切に通信されるようにその領域に位置する移動局を効率的に見つけるための解決策を提供することができない。本発明は、上述の欠点を回避しつつ、移動局の加入者への警告通知を改善する装置及び方法を提供するという問題を解決するものである。
【課題を解決するための手段】
【００１３】
この問題は、移動局の加入者への警告通知の方法及び装置により解決される。ロケーションサーバは、警告アプリケーションから警告領域内にいる加入者を特定するための要求を受信し、少なくとも１つのネットワークノードから加入者の場所データを受信する。ロケーションサーバは、受信した加入者の場所をロケーションデータベースに格納し、受信され及び／又は格納された警告領域内に位置する加入者について場所データをチェックする。その場合、ロケーションサーバは、警告アプリケーションにそのような加入者に対する情報を通知する。
【００１４】
本発明の利点は、モバイルネットワークに過度に負荷をかけずに柔軟性のある方法で特定の領域に現在位置している加入者を認識するサービスを提供できることである。
【００１５】
本発明の目的は、移動局の加入者への警告通知のために、特定の地理的領域に位置する移動局を効率的に見つける方法及び装置を提供することである。
【図面の簡単な説明】
【００１６】
【図１】図１は、従来技術に係る空間トリガシステムの概略構成を示すブロック図である。
【図２】図２は、本発明に係る警告システムの概略構成を示すブロック図である。
【図３】図３は、本発明に係るロケーションサーバを示すブロック図である。
【図４ａ】図４ａは、ロケーションサーバと警告システムの他のネットワーク要素間の信号とを示すブロック図である。
【図４ｂ】図４ｂは、図４ａのロケーションサーバにおける処理方法を示すフローチャートである。
【図５ａ】図５ａは、図４のロケーションサーバの一実施形態を更に詳細に示すブロック図である。
【図５ｂ】図５ｂは、図５ａの場合のロケーションサーバにおける処理方法を示すフローチャートである。
【図６】図６は、本発明に係るロケーションサーバの別の実施形態を示す信号線図である。
【図７ａ】図７ａは、図４のロケーションサーバの一実施形態を更に詳細に示すブロック図である。
【図７ｂ】図７ｂは、図７ａの場合のロケーションサーバにおける処理方法を更に詳細に示すフローチャートである。
【発明を実施するための形態】
【００１７】
図１は、従来技術に係る空間トリガシステムの概略構成を示すブロック図である。
【００１８】
空間トリガによって有効になるサービスは、加入者の移動方法に依存するサービスである。いくつかの例は以下の通りである：
・加入者が領域に入った時にサービスを通知する。
【００１９】
・加入者が領域から出た時にサービスを通知する。
【００２０】
・２人の加入者が互いに近づいた時にサービスを通知する。
【００２１】
位置依存／トリガアプリケーション１１０は、特定の加入者が領域に入る／領域から出る時又は別の特定の加入者に近づいた時にロケーションサーバ１２０（ＯＭＡ及びＧＭＬＣ（Gateway Mobile Location Centre）に基づく用語であるロケーションサーバＬＳは、３ＧＰＰにより使用される用語である）に対して情報の取得を要求する。
【００２２】
ＯＭＡにより規格化されたＭＬＰ（Mobile Location Protocol）は、トリガアプリケーション１１０とロケーションサーバ１２０との間のアプリケーションインタフェース１１５として使用される。
【００２３】
ロケーションサーバは、スタンドアロンであるか又はＬＳと同一の場所に位置するロケーションデータベースＤＢ１３０を、モバイルネットワークの他のノードから受信した加入者の場所データに基づいて更新する機能を有する。更にロケーションサーバは、種々の基準をチェックし、１つの基準が満たされる場合にトリガアプリケーションに通知する機能を有する。ＤＢ１３０における場所データの品質は、加入者の場所データの更新頻度に依存する。
【００２４】
移動局ＭＳ１６０が無線アクセスネットワークＲＡＮ１５０により管理されるセル１７０を介してモバイルネット１００と通信する場合、コアネットワークＣＮ１４０ではロケーションサーバに受動（passive）データを送出する。この場合の例として、加入者によるＳＭＳの送出、発呼、場所領域の更新及び周期的な場所データの更新等のネットワークイベントが挙げられる。受動データは、ＭＳに関する情報及び場所情報を含む。
【００２５】
図２は、本発明に係る警告システムの概略構成を示すブロック図である。
【００２６】
警告アプリケーション２１０は、ＭＬＰを使用することによりロケーションサーバ１２０に対して領域２２０内にいる加入者についての情報を要求する。通知／警告が、アプリケーションにより加入者に送出される。警告アプリケーション及びロケーションサーバ／ロケーションデータベースでは地理的領域について種々の表現を使用するものとし、警告アプリケーションから要求される領域及びロケーションサーバ／ロケーションデータベースにより識別される領域は厳密に一致している必要はない。アプリケーションは、ＳＭＳ２１２、ＭＭＳ２１４、音声２１６又は他の方法により顧客の要望に従って加入者に通知を行う。
【００２７】
ロケーションサーバは、最初に警告領域２２０に位置する全ての加入者についてＤＢ内を検索する。更にロケーションサーバは、モバイルネットワークの他のノードから受信される加入者についての場所データによりＤＢを更新する。ＤＢ中の場所データの品質は、更新頻度に依存する。また、ロケーションサーバは、以下に説明する最適化された信号フローを管理する。
【００２８】
ＣＮ１４０は、ＭＳがモバイルネット１００と通信している時にロケーションサーバに受動データを送出する。この場合の例として、加入者によるＳＭＳの送出、発呼、場所領域の更新及び周期的な場所データの更新等のネットワークイベントが挙げられる。受動データは、ＭＳのＩＤ及び場所情報を含む。
【００２９】
問題に対する解決策は、必要に応じて情報を送出するようにＣＮ及びＲＡＮを再設定することであり、またモバイルネットワークから可能な限り迅速に場所情報を抽出することである。
【００３０】
図３は、プロセッサ３６０及びメモリ３７０を有する本発明に係るロケーションサーバ１２０を示すブロック図であり、メモリ３７０は、メモリからアクセス可能であり且つ前記プロセッサにより処理可能な命令を有する。
【００３１】
ロケーションサーバは、種々の役割を有するいくつかの機能ブロックを含む。
【００３２】
アプリケーションハンドラ３１０は、警告アプリケーション２１０との全ての通信を実行する。アプリケーションハンドラ３１０は、構文制御、復号化、認証及び許可を行う。
【００３３】
ロケーションサーバＬＳコア３２０は、メッセージメディエータであり、コアネットワークＣＮ１４０及びＲＡＮ１５０に対する全ての信号伝送を関係付ける。
【００３４】
ＤＢ１３０は、セル構造に関する地理的情報等、提供される地理的領域の仕様及び全ての加入者に対する場所データについての記憶装置である。
【００３５】
ＣＮコンフィギュレータ３３０は、ＣＮと通信して受動データフローをＯＮ／ＯＦＦする。
【００３６】
イベントハンドラ３４０は、コアネットワーク１４０及び無線アクセスネットワーク１５０から受動データイベントを受信する。最も重要なイベントは、ＲＡＮの設定に従って規則的に発生する周期的登録イベントである周期的な場所データの更新ＰＬＵイベントである。ＰＬＵ時間は、数時間から１時間の範囲内で変動する。他のイベントの例は、音声通話、ＳＭＳ、通常の場所データの更新、ＩＭＳＩ／ＧＰＲＳアタッチ／デタッチ、ＩＭＳＩアタッチ／デタッチ及びＳＳである。
【００３７】
ＲＡＮコンフィギュレータ３５０は、ＲＡＮと通信してＰＬＵタイマを再設定する。ＬＳ３２０は、ＲＡＮ１５０がＰＬＵタイマを要求することで開始され、監視期間が経過した時に元の値に戻る。ＬＳは、新しい非常に小さいＰＬＵ値を設定し、これは、全ての場所がＬＳに報告されるまで使用される（一般に、１０分未満）。ＬＳは、ＰＬＵタイマを元の値に設定するＲＡＮに新しい要求を送出する。
【００３８】
図４ａは、ロケーションサーバ及び警告システムの他のネットワーク要素間の信号を示すブロック図である。
【００３９】
受動データフローは、監視する領域が存在するまで一時停止される。警告アプリケーション２１０が特定の領域の全ての加入者を見つけたい場合、受動データフローは有効となり、ロケーションサーバは加入者についての場所データの収集を開始する。
【００４０】
ＬＳは、メッセージ４０１により、警告アプリケーションから警告領域に関する情報を含む要求を受信する。
【００４１】
ＬＳは、メッセージ４０２により、警告領域に属するセルを判定する。
【００４２】
ＬＳは特定のセルを提供するＣＮに対する開始要求をメッセージ４０３として送出する。開始要求は、オプションとして、監視される警告領域２２０内のセルのみに特定する機能を有する。
【００４３】
開始要求により、ＣＮは、加入者に対する受動データのロケーションサーバへの送出をメッセージ４０４ａにより開始する。
【００４４】
メッセージ４０４ｂにより、加入者についての場所データはデータベースに格納される。
【００４５】
加入者ＩＤ、場所データ及び提供されたデータの品質（古さ）を含む、警告領域内の加入者に関する情報は、メッセージ４０４ｃとして警告アプリケーションに送出される。なお、正確なデータが提供される時期に関する情報を更に含んでいてもよい。
【００４６】
メッセージ４０５ａ、４０５ｂにより、ＬＳは、特定のセルに対してＲＡＮから周期的な場所データの更新（ＰＬＵ）時間を取り出す。ＰＬＵ時間は時間（hour）単位である。
【００４７】
ＬＳは、新しい短いＰＬＵ時間を、メッセージ４０６として、選択したセルにＲＡＮを介して設定する。値は分単位である。
【００４８】
ＬＳは、選択されたセルに位置する全ての加入者に対する受動データを、メッセージ４０７ａとして数分以内に受信する。
【００４９】
加入者についての場所データはメッセージ４０７ｂとしてデータベースに格納される。
【００５０】
加入者ＩＤ、場所データ及び時間を含む、警告領域内にいる加入者に関する情報が、メッセージ４０７ｃとして警告アプリケーションに送出される。これは、全ての加入者の位置が特定されるまで行なわれる。
【００５１】
ＬＳは、選択されたセルに元のＰＬＵ値を、メッセージ４０８として設定する。
【００５２】
メッセージ４０９において、ＬＳは、ＣＮに停止要求を送出して、受動データの送出を停止させる。
【００５３】
メッセージ４０４ａ及びメッセージ４０７ａにおける受動データは、ＲＡＮから受信されるＰＬＵイベントにより主に生成される。セルが監視されている時間中、他のイベント（例えば、ＳＭＳの送出、ＩＭＳＩのアタッチ、通話、ＩＭＳＩのデタッチ）が発生する可能性がある。それらのイベントの存在は実施例に依存するが、それらのイベントを含める利点は小さい。
【００５４】
図４ｂは、図４ａのロケーションサーバにおける処理方法を示すフローチャートである。
【００５５】
処理方法は、ステップ４５０で開始する。
【００５６】
ステップ４５１では、ＬＳは、警告アプリケーションから警告領域に関する情報を含む要求を受信する。
【００５７】
ステップ４５２では、ＬＳは、警告領域に属するセルを判定する。
【００５８】
ステップ４５３では、ＬＳは、特定のセルを提供するＣＮに開始要求を送出する。開始要求は、オプションとして、監視される警告領域２２０内のセルのみに特定することができる。
【００５９】
開始要求４５３により、ＣＮでは、加入者に対する受動データのロケーションサーバへの送出が開始され、それらはステップ４５４において受信される。
【００６０】
ステップ４５５では、加入者についての場所データがデータベースに格納される。
【００６１】
ステップ４５６では、加入者ＩＤ、場所データ及び提供されたデータの品質（古さ）を含む、警告領域内にいる加入者に関する情報が、警告アプリケーションに送出される。なお、正確なデータが提供される時期に関する情報が更に含まれていてもよい。
【００６２】
ステップ４５７では、ＬＳは、特定のセルに対してＲＡＮから周期的な場所データの更新（ＰＬＵ）時間を取り出す。ＰＬＵ時間は時間（hour）単位である。
【００６３】
ステップ４５８では、ＬＳは新しい短いＰＬＵ時間を、選択されたセルにＲＡＮを介して設定する。値は分単位である。
【００６４】
ステップ４５９では、ＬＳは、選択されたセルに位置する全ての加入者に対する受動データを数分以内に受信する。
【００６５】
ステップ４６０では、加入者についての場所データはデータベースに格納される。
【００６６】
ステップ４６１では、加入者ＩＤ、場所データ及び時間を含む、警告領域内にいる加入者に関する情報が警告アプリケーションに送出される。これは、全ての加入者の位置が特定されるまで行われる。
【００６７】
ステップ４６２では、ＬＳは、選択されたセルに元のＰＬＵ値を設定する。
【００６８】
ステップ４６３では、ＬＳは、ＣＮに停止要求を送出し、受動データの送出を停止させる。
【００６９】
ステップ４５４及びステップ４５９の受動データは、ＲＡＮから受信されるＰＬＵイベントにより主に生成される。セルが監視されている期間中、他のイベント（例えば、ＳＭＳの送出、ＩＭＳＩのアタッチ、通話、ＩＭＳＩのデタッチ）が発生する可能性がある。それらのイベントの存在は実施例に依存するが、それらのイベントを含める利点は小さい。
【００７０】
処理方法は、ステップ４６４で終了する。
【００７１】
図５ａは、図４のロケーションサーバ１２０の一実施形態を更に詳細に示すブロック図である。
【００７２】
受動データフローは、監視する領域が検索されるまで一時停止される。警告アプリケーション２１０が特定の領域の全ての加入者を見つけたい場合、受動データフローは有効となり、ロケーションサーバは加入者についての場所データの収集を開始する。
【００７３】
メッセージ５０１において、アプリケーションハンドラ３１０は、警告アプリケーションから警告領域に関する情報を含む要求を受信する。アプリケーションハンドラは、メッセージを復号化し、認証し且つ警告アプリケーションの許可をチェックし、要求が受け入れられることを確認する。要求は、有効であり且つ許可された場合にＬＳコア３２０に渡される。
【００７４】
メッセージ５０２において、ＬＳコアは、ロケーションＤＢ１３０を探索することにより警告領域に属するセルを判定する。
【００７５】
メッセージ５０３において、ＬＳコアは、特定のセルを提供するＣＮ３６０に開始要求を送出するようにＣＮコンフィギュレータ３３０に通知する。
【００７６】
開始要求により、ＣＮでは、加入者についての受動データのロケーションサーバへの送出が開始され、それらはメッセージ５０４ａとして受信される。ＬＳのイベントハンドラ３４０は、ネットワークイベント／受動場所データをＣＮから受信する。イベントハンドラは、データをＬＳコアに転送する。
【００７７】
ＬＳコアは、場所データをメッセージ５０４ｂとしてデータベースに転送し、場所データを場所推定値（緯度／経度）に変換する。
【００７８】
警告領域内にいる加入者に関する情報（すなわち、識別子及び加入者データ）は、メッセージ５０４ｃとしてＬＳコアによりアプリケーションハンドラに送出され、アプリケーションハンドラは該情報を警告アプリケーションに転送する。該情報には、加入者ＩＤ、場所推定値及び提供されたデータの品質（古さ）が含まれる。また、正確なデータが提供される時期に関する情報が含まれていてもよい。
【００７９】
メッセージ５０５に基づいて、ＬＳコアは、特定のセルに対してＲＡＮから周期的な場所データの更新（ＰＬＵ）時間を取り出すようにＲＡＮコンフィギュレータ３５０に要求する。ＰＬＵ時間は、一般に時間（hour）単位である。
【００８０】
ＬＳコアは、メッセージ５０６として、新しい短いＰＬＵ時間を、選択されたセルにＲＡＮを介して設定するようにＲＡＮコンフィギュレータに要求する。値は、一般に分単位である。
【００８１】
規定されたセル内の全ての加入者についての受動データは、数分以内に（新しいＰＬＵ時間のため）イベントハンドラに送出される。メッセージ５０７ａにおいて、受動データを受信後、イベントハンドラはイベントデータをＬＳコアに転送する。
【００８２】
メッセージ５０７ｂにおいて、ＬＳコアは場所データをロケーションＤＢに転送し、場所データを場所推定値（緯度／経度）に変換する。
【００８３】
警告領域内にいる加入者に関する情報は、ＬＳコアによりアプリケーションハンドラ３１０に送出され、アプリケーションハンドラ３１０は、該情報を警告アプリケーションに転送する。該情報には、加入者ＩＤ、場所推定値及び提供されたデータの品質（古さ）が含まれる。正確なデータが提供される時期に関する情報が含まれていてもよい。
【００８４】
ＬＳコアは、選択されたセルにおいてＰＬＵ値を元の値に再設定するように、メッセージ５０８によりＲＡＮコンフィギュレータに要求する。
【００８５】
ＬＳコアは、停止要求をＣＮに送出するように、メッセージ５０９によりＣＮコンフィギュレータに要求する。停止要求により、ＣＮは受動データの送出を停止する。
【００８６】
メッセージ５０４ａ及びメッセージ５０７ａの受動データは、ＲＡＮから受信されるＰＬＵイベントにより主に生成される。セルが監視されている期間中、他のイベント（例えば、ＳＭＳの送出、ＩＭＳＩのアタッチ、通話、ＩＭＳＩのデタッチ）が発生する可能性がある。それらのイベントの存在は実施例に依存するが、それらのイベントを含める利点は小さい。
【００８７】
図５ｂは、図５ａのロケーションサーバにおける処理方法を示すフローチャートである。
【００８８】
処理方法は、ステップ５５０で開始する。
【００８９】
ステップ５５１では、アプリケーションハンドラ３１０は、警告アプリケーションから警告領域に関する情報を含む要求を受信する。アプリケーションハンドラは、メッセージを復号化し、認証し且つ警告アプリケーションの許可をチェックし、要求が受け入れられることを確認する。要求は、有効であり且つ許可された場合にＬＳコア３２０に渡される。
【００９０】
ステップ５５２では、ＬＳコアは、ロケーションＤＢ１３０を検索することにより警告領域に属するセルを判定する。
【００９１】
ステップ５５３では、ＬＳコアは、特定のセルを提供するＣＮ３６０に開始要求を送出するようにＣＮコンフィギュレータ３３０に通知する。
【００９２】
ステップ５５４では、ＬＳはＣＮから加入者についての受動データを受信する。ＬＳのイベントハンドラ３４０は、ＣＮからネットワークイベント／受動場所データを受信する。イベントハンドラは、データをＬＳコアに転送する。
【００９３】
ステップ５５５では、ＬＳコアは、場所データをデータベースに転送し、該場所データを場所推定値（緯度／経度）に変換する。
【００９４】
ステップ５５６では、警告領域内にいる加入者に関する情報（すなわち、識別子及び加入者データ）が、ＬＳコアによりアプリケーションハンドラに送出される。アプリケーションハンドラは、当該情報を警告アプリケーションに転送する。なお、当該情報には、加入者ＩＤ、場所推定値及び提供されたデータの品質（古さ）が含まれる。また、正確なデータが提供される時期に関する情報が含まれていてもよい。
【００９５】
ステップ５５７では、ＬＳコアは、特定のセルに対してＲＡＮから周期的な場所データの更新（ＰＬＵ）時間を取り出すようにＲＡＮコンフィギュレータ３５０に要求する。ＰＬＵ時間は、一般に時間（hour）単位である。
【００９６】
ステップ５５８では、ＬＳコアは、新しい短いＰＬＵ時間を、選択されたセルにＲＡＮを介して設定するようにＲＡＮコンフィギュレータに要求する。値は、一般に分単位である。
【００９７】
規定されたセル内の全ての加入者についての受動データは、数分以内に（新しいＰＬＵ時間のため）イベントハンドラにより受信される。ステップ５５９では、受動データを受信後、イベントハンドラがイベントデータをＬＳコアに転送する。
【００９８】
ステップ５６０では、ＬＳコアは場所データをロケーションＤＢに転送し、場所データを場所推定値（緯度／経度）に変換する。
【００９９】
ステップ５６１では、警告領域内の加入者に関する情報は、ＬＳコアによりアプリケーションハンドラ３１０に送出され、アプリケーションハンドラ３１０が、該情報を警告アプリケーションに転送する。該情報には、加入者ＩＤ、場所推定値及び提供されたデータの品質（古さ）が含まれる。また、正確なデータが提供される時期に関する情報が含まれていてもよい。
【０１００】
ステップ５６２では、ＬＳコアは、選択されたセルにおいてＰＬＵ値を元の値に再設定するようにＲＡＮコンフィギュレータに要求する。
【０１０１】
ステップ５６３では、ＬＳコアは、停止要求をＣＮに送出するようにＣＮコンフィギュレータに要求する。停止要求により、ＣＮは受動データの送出を停止する。
【０１０２】
処理方法は、ステップ５６４で終了する。
【０１０３】
図６は、本発明に係るロケーションサーバの別の実施形態を示す信号線図である。
【０１０４】
ＳＴサービスに加入する加入者は、端末とＰＬＭＮとの間で無線通信（ＳＭＳの送出、通話、ネットワークへの接続、ＬＡ更新等）がある度にロケーションデータベースＤＢに格納された位置データを更新する。これは、ＳＴを使用可能な加入者についての位置データが高品質を有していることを意味するとともに、加入者が他のユーザよりもネットワークに多くの負荷をかけることを意味している。しかし、加入者の一部のみがＳＴを使用している限り、負荷は非常に小さい。
【０１０５】
加入者に対する全ての受動データイベントを取得する別の例は、１つ又はいくつかのイベントのみを選択することである。これに適切な１つのイベントは、周期的な場所データの更新イベントである。このイベントは、１時間に１度といったように定期的に発生する。それは、場所データの平均的な品質が３０分であることを意味する。使用される間隔が更に短くなると、ＣＮ、ＬＳ及び伝送ネットワークにかかる負荷は更に大きくなる。しかし、この別の例（適度に長いＰＬＵ時間を用いる例）の場合、アプリケーションに対する高速応答を容易にする更新済みロケーションデータベースを提供するため、最適化された解決策と組み合わせるのに非常に適している。
【０１０６】
本実施形態において、ＳＴを使用可能な加入者に対して有効な受動データフローは全てのイベントの種類を含む。ＳＴを使用できない全ての加入者は、ＰＬＵ受動データイベントに対するネットワークイベントのみを取得する。警告アプリケーションが特定の領域の全ての加入者を見つけたい場合、受動データフローは、ＰＬＵ時間を短縮することにより、関連するセル内の全ての加入者を対象とすることができる。
【０１０７】
全ての加入者に対する受動データは、メッセージ６９０として、ＣＮからロケーションサーバに連続して送出される。ＬＳは、データをデータベースに格納する。一般に、加入者についての場所データは、１〜８時間の間隔で更新される。
【０１０８】
メッセージ６０１において、ＬＳは、警告アプリケーションから警告領域に関する情報を含む要求を受信する。
【０１０９】
メッセージ６０２において、ＬＳは、警告領域と重なり合う場所にいる加入者を見つけるためにデータベースの検索を実行する。
【０１１０】
ＭＳＩＳＤＮ、場所データ及び場所データの品質を含む応答がメッセージ６０３として警告アプリケーションに送出される。
【０１１１】
ＬＳは、警告領域内にいる加入者についての場所データを、メッセージ６０３＊として警告アプリケーションへ転送する処理を、この時点で開始する。
【０１１２】
メッセージ６０４において、ＬＳは、要求された領域に属するセルを判定する。
【０１１３】
メッセージ６０５において、ＬＳは、特定のセルに対してＲＡＮから現在の周期的な場所データの更新（ＰＬＵ）時間を取り出す。ＰＬＵ時間は時間（hour）単位である。
【０１１４】
ＬＳは、新しい短いＰＬＵ時間を、メッセージ６０６として選択されたセルにＲＡＮを介して設定する。値は分単位である。
【０１１５】
ＬＳは、選択されたセルに位置する全ての加入者についての受動データを、メッセージ６０７ａとして数分以内に受信する。
【０１１６】
加入者についての場所データは、メッセージ６０７ｂとしてデータベースに格納される。
【０１１７】
加入者ＩＤ、場所データ及び時間を含む、警告領域内にいる加入者に関する情報は、メッセージ６０７ｃとして警告アプリケーションに送出される。これは、全ての加入者の位置が特定されるまで行われる。
【０１１８】
ＬＳは、選択されたセルに元のＰＬＵ値をメッセージ６０８により設定する。
【０１１９】
図７ａは、図４のロケーションサーバの一実施形態を更に詳細に示すブロック図である。
【０１２０】
本実施形態において、ＳＴを使用可能な加入者に有効な受動データフローは、全てのイベントの種類を含む。ＳＴを使用できない全ての加入者は、ＰＬＵ受動データイベントに対するネットワークイベントのみを取得する。警告アプリケーションが特定の領域の全ての加入者を見つけたい場合、受動データフローは、ＰＬＵ時間を短縮することにより、関連するセル内の全ての加入者を対象とすることができる。
【０１２１】
全ての加入者に対する受動データは、メッセージ７９０としてＣＮからＬＳのイベントハンドラに連続して送出される。イベントハンドラは、ＬＳコアを介してデータをロケーションＤＢに転送する。
【０１２２】
アプリケーションハンドラは、警告アプリケーションから警告領域に関する情報を含む要求をメッセージ７０１として受信する。アプリケーションハンドラは、メッセージを復号化し、認証し且つ警告アプリケーションの許可をチェックし、要求が受け入れられることを確認する。要求は、有効であり且つ許可された場合にＬＳコアに渡される。
【０１２３】
ＬＳコアは、警告領域内にいるか又は警告領域と重なり合う領域内にいる現在の全ての加入者に関する情報を、場所推定値とともにメッセージ７０２として要求する。応答は、アプリケーションハンドラに転送される。
【０１２４】
アプリケーションハンドラは、警告領域にいる全ての加入者についてのＭＳＩＳＤＮ、場所データ及び場所データの品質を含む応答を、警告アプリケーションに対してメッセージ７０３として送信する。
【０１２５】
ＬＳコアは、全ての入力受動データのチェックをこの時点で開始し、加入者についての場所データが警告領域内にいることを示すものであるかをメッセージ７０３＊により確認する。警告領域内の加入者に関する情報及び加入者の各場所データはアプリケーションハンドラに転送され、アプリケーションハンドラはデータを警告アプリケーションに転送する。
【０１２６】
ＬＳコアは、ロケーションＤＢに問い合わせ、メッセージ７０４により要求された領域に属するセルを判定する。
【０１２７】
ＬＳコアは、特定のセルに対してＲＡＮから周期的な場所データの更新（ＰＬＵ）時間を取り出すように、メッセージ７０５によりＲＡＮコンフィギュレータに要求する。ＰＬＵ時間は時間（hour）単位である。
【０１２８】
ＬＳコアは、新しい短いＰＬＵ時間を、選択されたセルにＲＡＮを介して設定するようにメッセージ７０６によりＲＡＮコンフィギュレータに要求する。値は分単位である。
【０１２９】
規定されたセル内の全ての加入者についての受動データは、数分以内に（変更されたＰＬＵ時間のため）イベントハンドラに送出される。イベントハンドラは、受動データを受信後にデータをメッセージ７０７ａによりＬＳコアに転送する。
【０１３０】
ＬＳコアは場所データをメッセージ７０７ｂとしてロケーションＤＢに転送し、場所データを場所推定値（緯度／経度）に変換する。
【０１３１】
警告領域内にいる加入者に関する情報は、ＬＳコアによりメッセージ７０７ｃとしてアプリケーションハンドラに送出され、アプリケーションハンドラは、該情報を警告アプリケーションに転送する。該情報には、加入者ＩＤ、場所推定値及び提供されたデータの品質（古さ）が含まれる。
【０１３２】
ＬＳコアは、選択されたセルにおいてＰＬＵ値を元の値に再設定するように、メッセージ７０８によりＲＡＮコンフィギュレータに要求する。
【０１３３】
図７ｂは、図７ａの場合のロケーションサーバにおける処理方法を更に詳細に示すフローチャートである。
【０１３４】
処理方法は、ステップ７５０で開始する。
【０１３５】
ステップ７５１では、全ての加入者についての受動データが、ＣＮからＬＳのイベントハンドラに連続して送出される。イベントハンドラは、ＬＳコアを介してデータをロケーションＤＢに転送する。
【０１３６】
ステップ７５２では、アプリケーションハンドラが、警告アプリケーションから警告領域に関する情報を含む要求を受信する。アプリケーションハンドラは、メッセージを復号化し、認証し且つ警告アプリケーションの許可をチェックし、要求が受け入れられることを確認する。要求は、有効であり且つ許可された場合にＬＳコアに渡される。
【０１３７】
ステップ７５３では、警告領域内にいるか又は警告領域と重なり合う領域内にいる現在の全ての加入者に関する情報を、場所推定値とともにデータベースに要求する。応答は、アプリケーションハンドラに転送される。
【０１３８】
ステップ７５４では、アプリケーションハンドラは、警告領域にいる全ての加入者についてのＭＳＩＳＤＮ、場所データ及び場所データの品質を含む応答を、警告アプリケーションに対して行う。
【０１３９】
ステップ７５５では、ＬＳコアは、全ての入力受動データのチェックをこの時点で開始し、加入者についての場所データが警告領域内にいることを示すものであるかを確認する。警告領域内の加入者に関する情報及び加入者の各場所データはアプリケーションハンドラに転送され、アプリケーションハンドラはデータを警告アプリケーションに転送する。
【０１４０】
ステップ７５６では、ＬＳコアは、ロケーションＤＢに問い合わせ、要求された領域に属するセルを判定する。
【０１４１】
ステップ７５７では、ＬＳコアは、特定のセルに対してＲＡＮから周期的な場所データの更新（ＰＬＵ）時間を取り出すようにＲＡＮコンフィギュレータに要求する。ＰＬＵ時間は時間（hour）単位である。
【０１４２】
ステップ７５８では、ＬＳコアは、新しい短いＰＬＵ時間を、選択されたセルにＲＡＮを介して設定するようにＲＡＮコンフィギュレータに要求する。値は分単位である。
【０１４３】
規定されたセル内の全ての加入者に対する受動データは、数分以内に（変更されたＰＬＵ時間のため）イベントハンドラに送出される。ステップ７５９では、イベントハンドラは、受動データを受信後に、データをＬＳコアに転送する。
【０１４４】
ステップ７６０では、ＬＳコアは場所データをロケーションＤＢに転送し、該場所データを場所推定値（緯度／経度）に変換する。
【０１４５】
ステップ７６１では、警告領域内にいる加入者に関する情報は、ＬＳコアによりアプリケーションハンドラに送出され、アプリケーションハンドラは、該情報を警告アプリケーションに転送する。該情報には、加入者ＩＤ、場所推定値及び提供されたデータの品質（古さ）が含まれる。
【０１４６】
ステップ７６２では、ＬＳコアは、選択されたセルにおいてＰＬＵ値を元の値に再設定するようにＲＡＮコンフィギュレータに要求する。
【０１４７】
処理方法は、ステップ７６３で終了する。
【０１４８】
本発明の利点は、コアネットワークＣＮ（例えば、ＭＳＣ、ＳＧＳＮ等）、ロケーションサーバ及び伝送ネットワークに対して負荷をあまりかけずに迅速に特定の領域内の加入者の位置を特定できることにある。
【０１４９】
システムは、サービスの品質に関してＳＴが有する全ての利点、更新された加入者についての場所データと共に空間トリガを使用しており、実行時にＲＡＮにおける構成設定を変更することにより場所データの品質を向上する。
【０１５０】
ネットワーク負荷が高いことに関する問題は、実行時、不必要な時にＣＮ機能をＯＦＦにすることにより解決される。別の重要な改善点は、高い更新率が全ネットワークではなく必要なセルにおいてのみ使用されることである。
【０１５１】
殆どのオペレータは、ロケーションデータベースに新しい位置データを登録したいと考え、本発明により、場所データについての平均的な品質は概ね良好となる。
【０１５２】
空間トリガを使用する時のＣＮからの場所データの安定したストリームは、ＣＮにおける負荷が高い（すなわち、容量が落ちる）ことを意味する。本発明により、ＣＮにおける負荷は中央処理装置ＣＰＵの数分の間のわずかな負荷の増加のみに低減される。
【０１５３】
別の利点は、連続した空間トリガの間のＣＮからの一定の高いトラフィック負荷に対処するのに必要なＧＭＬＣ（Gateway Mobile Location Centre）ハードウェア量が不要なことである。
【図２】
2010514344.tif 000003
【図３】
2010514344.tif 000004
【図４ａ】
2010514344.tif 000005
【図５ａ】
2010514344.tif 000006
【図６】
2010514344.tif 000007
【図７ａ】
2010514344.tif 000008
【図１】
2010514344.tif 000009
【図４ｂ】
2010514344.tif 000010
【図５ｂ】
2010514344.tif 000011
【図７ｂ】
2010514344.tif 000012
【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
ロケーションサーバ（１２０）において実行され、移動局の加入者への警告通知を行う方法であって、
警告領域内にいる加入者を特定するための要求（４０１、５０１、６０１、７０１）を警告アプリケーション（２１０）から受信するステップと、
前記加入者についての場所データを少なくとも１つのネットワークノード（ＣＮ１４０、ＲＡＮ１５０）から受信するステップ（４０４ａ、４０７ａ、５０７ａ、６９０）と、
前記加入者についての場所データをチェックし、前記警告アプリケーションに対して前記警告領域（２２０）内にいる加入者に関する情報を通知するステップ（４０４ｃ、５０４ｃ、５０７ｃ、６０３）と、
前記警告領域内にいる加入者を特定するための要求を受信する前記ステップの後、該要求（４０３、４０６、５０３、５０６、６０６、７０６）を少なくとも１つのネットワークノード（１４０、１５０）に送出することにより、場所データを周期的に登録するための無線アクセスネットワーク（１７０）が管理するセルを介して、前記移動局（１６０）が、モバイルネット（１００）に接続する場合の、前記無線アクセスネットワークによる周期的な場所データの更新のための設定を変更するステップと
を備えることを特徴とする方法。
【請求項２】
前記要求（４０３）を送出する前記ステップの前に、前記警告領域に属するセルを判定し、前記セルを提供するネットワークノードに対してのみ前記要求を送出するステップを更に備えることを特徴とする請求項１に記載の方法。
【請求項３】
前記ネットワークノードの前記設定を変更するための前記要求は、場所データの伝送の開始要求を含むことを特徴とする請求項１又は２に記載の方法。
【請求項４】
少なくとも１つのネットワークノード（１４０、１５０）から移動局についての場所データを受信する前記ステップは、ロケーションデータベース（１３０）に前記移動局についての場所データを格納するステップ（４０４ｂ）を更に備えることを特徴とする請求項１乃至３のいずれか１項に記載の方法。
【請求項５】
前記変更された設定は、周期的な場所データの更新パラメータを含むことを特徴とする請求項１乃至４のいずれか１項に記載の方法。
【請求項６】
前記周期的な場所データの更新パラメータは、少ない頻度から多い頻度となるように変更される（４０６）ことを特徴とする請求項５に記載の方法。
【請求項７】
前記設定を再設定する（４０８、４０９）ステップを備えることを特徴とする請求項５又は６に記載の方法。
【請求項８】
前記再設定するステップは、移動局の位置が十分に特定された場合に場所データの伝送を停止させる停止要求（４０９）を前記ネットワークノード（１４０、１５０）に送出するステップを備えることを特徴とする請求項７に記載の方法。
【請求項９】
前記警告アプリケーションに通知する前記ステップ（４０４ｃ）は、前記警告領域内に位置する移動局に関する更に正確な情報が提供される時期を通知するステップを更に備えることを特徴とする請求項１乃至８のいずれか１項に記載の方法。
【請求項１０】
前記場所データは受動場所データであることを特徴とする請求項１乃至９のいずれか１項に記載の方法。
【請求項１１】
前記場所データは、ＳＭＳの送出、通話、場所領域更新又は周期的な場所データの更新のうちの任意のイベントによりネットワーク要素（１４０、１５０）において生成される場所データであることを特徴とする請求項１乃至１０のいずれか１項に記載の方法。
【請求項１２】
プロセッサ（３６０）及びメモリ（３７０）を有する移動局の加入者への警告通知を行う装置であって、前記メモリが、前記メモリからアクセス可能であり且つ前記プロセッサにより処理可能である命令を有する装置であって、
警告領域内にいる加入者を特定するための要求（４０１、５０１、６０１、７０１）を警告アプリケーション（２１０）から受信するアプリケーションハンドラ（３１０）と、
前記加入者についての場所データ（４０４ａ、４０７ａ、５０７ａ、６９０）を少なくとも１つのネットワークノード（ＣＮ１４０、ＲＡＮ１５０）から受信するイベントハンドラ（３４０）と、
前記加入者についての場所データをチェックし、前記警告領域内にいる加入者に関する情報を前記警告アプリケーションに通知するメッセージメディエータ（３２０）と、
要求（４０３、４０６、５０３、５０６、６０６、７０６）を少なくとも１つのネットワークノード（１４０、１５０）に送出することにより、場所データを周期的に登録するための無線アクセスネットワーク（１７０）が管理するセルを介して、前記移動局（１６０）が、モバイルネット（１００）に接続する場合の、前記無線アクセスネットワークによる周期的な場所データの更新のための設定を変更するネットワークコンフィギュレータ（３３０、３５０）と
を備えることを特徴とする装置。
【請求項１３】
前記メッセージメディエータ（３２０）は、前記警告領域（５０２）に属するセルを判定し、前記セルを提供するネットワークノードに対してのみ前記要求を送出するように少なくとも１つのネットワークコンフィギュレータ（３３０、３５０）に指示することを特徴とする請求項１２に記載の装置。
【請求項１４】
前記ネットワークコンフィギュレータ（３３０）は、場所データ（５０３）の伝送を開始するように前記コアネットワーク（１４０）に指示することを特徴とする請求項１２又は１３に記載の装置。
【請求項１５】
前記移動局についての場所データ及び／又は提供された地理的領域の仕様を格納する（４０４ｂ）ロケーションデータベース（１３０）を備えることを特徴とする請求項１２乃至１４のいずれか１項に記載の装置。
【請求項１６】
前記ネットワークコンフィギュレータは、前記設定の周期的な場所データの更新パラメータを変更するように構成されていることを特徴とする請求項１２乃至１５のいずれか１項に記載の装置。
【請求項１７】
前記ネットワークコンフィギュレータは、前記周期的な場所データの更新パラメータ（４０６）を少ない頻度から多い頻度となるように変更することを特徴とする請求項１６に記載の装置。
【請求項１８】
前記ネットワークコンフィギュレータ（３３０、３５０）は、前記設定を再設定する（４０８、４０９）ように構成されていることを特徴とする請求項１６又は１７記載の装置。
【請求項１９】
前記ネットワークコンフィギュレータ（３３０、３５０）は、移動局の位置が十分に特定された場合に場所データの伝送を停止させる停止要求（４０９）を前記ネットワークノード（１４０、１５０）に送出することにより再設定を行うことを特徴とする請求項１８に記載の装置。
【請求項２０】
前記アプリケーションハンドラ（３１０）は、前記警告領域内に位置する移動局に関する更なる正確な情報が提供される時期を、前記警告アプリケーション（４０４ｃ）に通知することを特徴とする請求項１２乃至１９のいずれか１項に記載の装置。
【請求項２１】
前記場所データは、受動場所データであることを特徴とする請求項１２乃至２０のいずれか１項に記載の装置。
【請求項２２】
受動場所データは、ＳＭＳの送出、通話、場所領域更新又は周期的な場所データの更新のうちの任意のイベントによりネットワーク要素（１４０、１５０）において生成される場所データであることを特徴とする請求項１２乃至２１のいずれか１項に記載の装置。
【国際調査報告】
2010514344.tif 000013
2010514344.tif 000014
2010514344.tif 000015